【手続補正書】
【提出日】平成26年4月18日(2014.4.18)
【手続補正１】
【補正対象書類名】特許請求の範囲
【補正対象項目名】全文
【補正方法】変更
【補正の内容】
【特許請求の範囲】
【請求項１】
緊急車両患者輸送システムにおいて、
緊急車両の内部へのアクセスを提供する積載通路と、
前記緊急車両の床か前記緊急車両の天井か前記緊急車両の壁か又はそれらの組合せへ連結されている１つ又はそれ以上の軌道であって、移動経路を描き出している１つ又はそれ以上の軌道と、
前記１つ又はそれ以上の軌道と滑動式に係合されていて前記床と前記天井の間で垂直方向に位置付けられる椅子であって、
当該椅子は、１つ又はそれ以上の設定位置にロックされ、
前記１つ又はそれ以上の設定位置は、気道ケア位置、広範囲気道ケア位置、処置的ケア位置、応答者位置、患者ケア位置、下部ケア位置、及び患者積載位置、から成る群より選択される、椅子と、
前記床へ連結されていて簡易寝台を積載方向に沿って輸送するように構成されている患者積載部材と、
前記椅子の前記移動経路に沿った動きを前記簡易寝台の前記積載方向に沿った動きと同期させるように構成されている自動作動構成要素と、を備えている緊急車両患者輸送システム。
【請求項２】
前記椅子は、前記１つ又はそれ以上の軌道と滑動式に係合されている垂直方向部材を備え、前記垂直方向部材は前記天井と前記床の間で湾曲を形成している、請求項１に記載の緊急車両患者輸送システム。
【請求項３】
前記床へ連結されている簡易寝台固定部材を更に備え、前記簡易寝台固定部材は、簡易寝台を簡易寝台上昇方向に沿って持ち上げる、請求項１に記載の緊急車両患者輸送システム。
【請求項４】
前記１つ又はそれ以上の軌道は、前記天井へ連結されている天井軌道と前記床へ連結されている床軌道を備え、
前記椅子は、
前記天井軌道と滑動式に係合されている１つ又はそれ以上の天井並進部材と、
前記床軌道と滑動式に係合されている１つ又はそれ以上の床並進部材と、
前記１つ又はそれ以上の天井並進部材と前記１つ又はそれ以上の床並進部材の間に延びていて、上側フレーム接合部を備えている垂直方向部材と、
上側部分と、下側部分と、前記上側部分に隣接し上側腕部を間に介して前記垂直方向部材の前記上側フレーム接合部へ回転可能に接合されている上側椅子接合部と、前記下側部分に隣接し下側腕部を間に介して前記垂直方向部材へ回転可能に接合されている下側椅子接合部と、を備える座席と、を備えている、請求項１に記載の緊急車両患者輸送システム。
【請求項５】
前記１つ又はそれ以上の天井並進部材及び／又は前記１つ又はそれ以上の床並進部材は、ローラー車輪を備えている、請求項４に記載の緊急車両患者輸送システム。
【請求項６】
前記下側椅子接合部へ回転可能に接合されている膝用部材と、前記膝用部材へ連結されている１つ又はそれ以上の膝当て部と、を更に備えている、請求項４に記載の緊急車両患者輸送システム。
【請求項７】
前記上側腕部は、前記座席の前記上側部分と前記垂直方向部材の間のエネルギー伝達を緩和するように構成されている上側椅子吸収部材を備えている、請求項４に記載の緊急車両患者輸送システム。
【請求項８】
前記椅子は、
前記垂直方向部材と前記１つ又はそれ以上の天井並進部材の間に配置されていて、当該１つ又はそれ以上の天井並進部材と当該垂直方向部材の間のエネルギー伝達を緩和するように構成されている１つ又はそれ以上の天井吸収部材と、
前記垂直方向部材と前記１つ又はそれ以上の床並進部材の間に配置されていて、当該１つ又はそれ以上の床並進部材と当該垂直方向部材の間のエネルギー伝達を緩和するように構成されている１つ又はそれ以上の床吸収部材と、を更に備えている、請求項４に記載の緊急車両患者輸送システム。
【請求項９】
前記１つ又はそれ以上の天井並進部材は、第１天井並進部材及び第２天井並進部材を備え、
前記１つ又はそれ以上の床並進部材は、第１床並進部材及び第２床並進部材を備え、
前記１つ又はそれ以上の天井吸収部材は、前記第１天井並進部材から前記垂直方向部材の上側三角点まで延びている第１天井吸収部材と、前記第２天井並進部材から前記垂直方向部材の前記上側三角点まで延びている第２天井吸収部材と、を備え、
前記１つ又はそれ以上の床吸収部材は、前記第１床並進部材から前記垂直方向部材の下側三角点まで延びている第１床吸収部材と、前記第２床並進部材から前記垂直方向部材の前記下側三角点まで延びている第２床吸収部材と、を備えている、請求項８に記載の緊急車両患者輸送システム。
【請求項１０】
前記椅子は、当該椅子の前傾又は後傾を有効又は無効にする傾け制御部を更に備えている、請求項１に記載の緊急車両患者輸送システム。
【請求項１１】
前記１つ又はそれ以上の軌道は、前記天井へ連結されている天井軌道を備え、
前記椅子は、
上側部分と下側部分を備えている座席と、
前記天井軌道と滑動式に係合されている垂直方向部材と、
前記垂直方向部材を前記座席の前記下側部分へ回転可能に接合しているピボット接合部と、
前記垂直方向部材と滑動式に係合されていて、前記座席の前記上側部分より上方に配置されている調節式ヘッドレストと、
前記垂直方向部材から前記下側部分へ延びていて、当該垂直方向部材と前記座席の当該下側部分の間のエネルギー伝達を緩和するように構成されている底部吸収部材と、を備えている、請求項１に記載の緊急車両患者輸送システム。
【請求項１２】
前記１つ又はそれ以上の軌道は、前記床へ連結されている床軌道を備え、
前記椅子は、
前記床軌道へ滑動式に係合されている垂直方向支持体と、
前記垂直方向支持体を前記垂直方向部材及び座席へ回転可能に接合している座席接合部と、
前記垂直方向部材を頭頚肩部（ＨＮＳ）支持体へ回転可能に接合しているＨＮＳ接合部と、
前記垂直方向部材と滑動式に係合されていて、前記ＨＮＳ接合部と前記座席の間の距離の少なくとも一部を滑動するように動作する胴部支持体と、を備えている、請求項１に記載の緊急車両患者輸送システム。
【請求項１３】
前記椅子は、前記ＨＮＳ支持体へ回転可能に接合されていて複数位置にロックされる調節式ＨＮＳクランプ、前記胴部支持体へ回転可能に接合されていて複数位置にロックされる調節式胴部クランプ、又はそれらの組合せ、を更に備えている、請求項１２に記載の緊急車両患者輸送システム。
【請求項１４】
前記１つ又はそれ以上の軌道は、表面より上方に連結されているか又は陥凹しており、直線状、Ｊ字形状、Ｌ字形状、Ｕ字形状、Ｏ字形状、又は多角形状をしている、請求項１に記載の緊急車両患者輸送システム。
【請求項１５】
前記１つ又はそれ以上の軌道は、Ｃ字型チャネル断面、円形断面、方形断面、又はそれらの組合せを備えている、請求項１に記載の緊急車両患者輸送システム。
【請求項１６】
自由浮動モード又は同期モードを設定するように動作する運動制御部を更に備えている、請求項１に記載の緊急車両患者輸送システム。
【請求項１７】
前記椅子は、作動させれば、当該椅子を前記垂直方向部材周りに旋回させるように構成されているレバーを備えている、請求項１に記載の緊急車両患者輸送システム。
【請求項１８】
前記椅子は、当該椅子へ取り外し可能に取り付けられている補助収納庫モジュールを備えている、請求項１に記載の緊急車両患者輸送システム。
【請求項１９】
前記緊急車両の前記壁へ連結されている多位置座席を更に備えており、前記多位置座席は平台構成とベンチ構成を備えている、請求項１に記載の緊急車両患者輸送システム。
【請求項２０】
前記多位置座席は、着座部分と滑動式に係合されている移行軌道を更に備えており、
前記多位置座席は、前記着座部分を前記移行軌道に沿って滑動させることによって、前記ベンチ構成と折り畳み補助席構成の間で切り替わる、請求項１９に記載の緊急車両患者輸送システム。
【請求項２１】
前記多位置座席は、移行軌道と、前記移行軌道と滑動式に係合されている着座部分と、前記移行軌道と回転可能に接合されていて滑動式に係合されている枢動部分と、を更に備え、
前記多位置座席は、前記ベンチ構成から、前記着座部分を前記移行軌道に沿って滑動させ前記枢動部分を回転させることによって、寝椅子構成へ切り替わる、請求項１９に記載の緊急車両患者輸送システム。
【請求項２２】
前記多位置座席は、移行軌道と、前記移行軌道と滑動式に係合されている着座部分と、前記移行軌道と回転可能に接合されていて滑動式に係合されている枢動部分と、を更に備え、
前記多位置座席は、前記ベンチ構成から、前記着座部分を前記移行軌道に沿って滑動させ前記枢動部分を回転させることによって、二人掛け折り畳み補助席構成へ切り替わる、請求項１９に記載の緊急車両患者輸送システム。
【請求項２３】
前記多位置座席は、陥凹面を更に備え、前記陥凹面は、当該多位置座席が前記ベンチ構成にあるとき、簡易寝台を固定するように構成されている、請求項１９に記載の緊急車両患者輸送システム。
【請求項２４】
前記椅子は、イヤホン、音声マイク、画像送り部、又はそれらの組合せを備えている、請求項１に記載の緊急車両患者輸送システム。
【請求項２５】
車載車両電子監視システムと、前記車載車両電子監視システムと電気的に通信している感知部材と、を更に備えている、請求項１に記載の緊急車両患者輸送システム。
【請求項２６】
前記椅子は、前記車載車両電子監視システムと電気的に通信しているロックシステムを更に備え、
前記ロックシステムは、前記感知部材がクラッシュ事象を感知すると、前記椅子をその場にロックする、請求項２５に記載の緊急車両患者輸送システム。
【請求項２７】
前記椅子は、環境制御部を更に備えている、請求項１に記載の緊急車両患者輸送システム。
【請求項２８】
前記壁に連結されている壁固定具と、
前記壁固定具と回転可能に接合されている枢動式付属具と、
前記枢動式付属具へ連結されていてそこから延びている回転式腕部と、
前記回転式腕部へ連結されていて当該回転式腕部の第１端に配置されている第１捕握機構及び、
前記回転式腕部へ連結されていて当該回転式腕部の第２端に配置されている第２捕握機構であって、簡易寝台を脱着式に固定する第１及び第２捕握機構と、を更に備えている、請求項１に記載の緊急車両患者輸送システム。
【請求項２９】
前記椅子は、バイオセーフ材料を備えている、請求項１に記載の緊急車両患者輸送システム。
【請求項３０】
緊急車両患者輸送システムにおいて、
前記緊急車両の床か前記緊急車両の天井か前記緊急車両の壁か又はそれらの組合せへ連結されている１つ又はそれ以上の軌道であって、移動経路を描き出している１つ又はそれ以上の軌道と、
前記床と前記天井の間で垂直方向に位置付けられる椅子であって、
前記天井と前記床の間に配置されていて前記１つ又はそれ以上の軌道と滑動式に係合されている湾曲状の垂直方向部材と、
前記湾曲状の垂直方向部材と滑動式に係合されている座席支持部材と、
前記座席支持部材と滑動式に係合されている滑動式上体用部材と、
前記座席支持部材へ連結されているラップバーと、
前記滑動式上体用部材と回転可能に接合されているロック機構と、
前記ロック機構から前記ラップバーへ延びているハーネスと、を備える椅子と、を備えている緊急車両患者輸送システム。
【請求項３１】
前記ラップバーは、腰間アクチュエータと腰間捕捉部を備え、前記腰間アクチュエータは前記腰間捕捉部を開位置から閉位置へ自動的に移行させる、請求項３０に記載の緊急車両患者輸送システム。
【請求項３２】
緊急車両患者輸送システムにおいて、
前記緊急車両の床か前記緊急車両の天井か前記緊急車両の壁か又はそれらの組合せへ連結されている１つ又はそれ以上の軌道であって、移動経路を描き出している１つ又はそれ以上の軌道と、
前記床と前記天井の間で垂直方向に位置付けられる椅子であって、
前記天井と前記床の間に配置されていて前記１つ又はそれ以上の軌道と滑動式に係合されている湾曲状の垂直方向部材と、
前記湾曲状の垂直方向部材と回転可能に接合されている座席支持部材と、
前記座席支持部材へ連結されている膝部アクチュエータと、
前記膝部アクチュエータと滑動式に係合されていて前記座席支持部材から離れて延びている膝用部材と、
前記膝用部材へ連結されている膝当て部であって、前記膝部アクチュエータによって伸展させられたり引っ込められたりする膝当て部と、を備える椅子と、を備えている緊急車両患者輸送システム。
【請求項３３】
前記湾曲状の垂直方向部材は、チャネルを備えている、請求項３０に記載の緊急車両患者輸送システム。
【請求項３４】
前記湾曲状の垂直方向部材へ連結されていて、前記チャネルに隣接して延長部を形成している衝撃支持翼を更に備え、
座席支持部材が、その第１端を前記チャネルと滑動式に係合され、その第２端を前記湾曲状の垂直方向部材と回転可能に接合されている、請求項３３に記載の緊急車両患者輸送システム。